(57)【要約】【課題】  使用範囲が広く、しかも使い勝手に優れた書画カメラ及びデジタルカメラ、並びに書画カメラシステムを提供する。【解決手段】  書画カメラ１を、スタンド１１と、それに着脱自在に装着されるデジタルカメラ５１とから構成し、装着時には両者間に電気的な接続状態を確保する。デジタルカメラ５１は単独での使用が可能な構成とする。また、スタンド１１内に充電回路を設け、装着したデジタルカメラ５１への外部電源による充電を可能とする。デジタルカメラ５１で撮影した画像、又は記録されている画像のデータをスタンド１１を介してＰＣ２へ転送し、撮影（記録）画像をプロジェクタ３によってスクリーンＳに投影させる。さらに、スタンド１１に、モード切替キー１７ｃ、シャッターキー１７ｄ等を設け、デジタルカメラ５１における動作モードの切替操作、静止画撮影操作等を可能とし、かつＰＣからもスタンド１１経由での操作を可能とする。【選択図】      図１
2005143091.tif 000002
【特許請求の範囲】
【請求項１】
投影装置に投影させる画像を撮像手段により撮像する書画カメラにおいて、
前記撮像手段、及びこの撮像手段により撮像された画像を記録する画像記録手段を備えたデジタルカメラと、
このデジタルカメラが着脱自在に装着され、かつ装着されたデジタルカメラと電気的な接続状態を確保されるとともに、前記デジタルカメラを電気的に操作する操作手段を備えたカメラスタンドと
を含むことを特徴とする書画カメラ。
【請求項２】
前記操作手段を用いた前記デジタルカメラの操作は、動作モードの切り替え操作であることを特徴とする請求項１記載の書画カメラ。
【請求項３】
前記操作手段を用いた前記デジタルカメラの操作は、前記投影装置に投影させる画像の表示内容を変化させる操作であることを特徴とする請求項１又は２記載の書画カメラ。
【請求項４】
前記操作手段を用いた前記デジタルカメラの操作は、静止画撮影操作であることを特徴とする請求項１，２又は３記載の書画カメラ。
【請求項５】
投影装置に投影させる画像を撮像手段により撮像する書画カメラにおいて、
前記撮像手段、及びこの撮像手段により撮像された画像を記録する画像記録手段を備えたデジタルカメラと、
このデジタルカメラが着脱自在に装着され、かつ装着されたデジタルカメラと電気的な接続状態を確保されるカメラスタンドと、
このカメラスタンドと電気的に接続されるとともに、前記カメラスタンドを介して前記デジタルカメラを電気的に操作する操作手段を備えた外部操作機器と
を含むことを特徴とする書画カメラシステム。
【請求項６】
前記外部操作機器は、前記デジタルカメラにより撮像された画像が前記カメラスタンドを介して入力される画像入力手段と、この画像入力手段に入力された画像に基づく表示用の画像を前記投影装置に出力する画像出力手段とを備えたことを特徴とする請求項５記載の書画カメラシステム。
【請求項７】
カメラスタンドに着脱自在なデジタルカメラであって、
撮像手段と、
この撮像手段により撮像された画像に対して複数の画像処理を所定の順番で行う画像処理手段と、
この画像処理手段による前記複数の画像処理を経て生成された画像を記録する画像記録手段と、
装着されたカメラスタンドとの間における電気的な接続状態を確保する接続部と、
この接続部を介して前記カメラスタンドから受信するとともに使用者の操作内容を示す操作信号に基づき、デジタルカメラの動作を制御する制御手段と
を含むことを特徴とするデジタルカメラ。
【発明の詳細な説明】
【技術分野】
【０００１】
本発明は、原稿等を撮影して取得した画像情報を、プロジェクタ等の外部装置へ供給する書画カメラ及びデジタルカメラ、並びに書画カメラシステムに関するものである。
【背景技術】
【０００２】
近年、プレゼンテーションや会議等においては、パーソナルコンピュータ（以下、ＰＣ）にデータとして記憶してあるドキュメント（文字や図表等）をプロジェクタを用いてスクリーン上に拡大して投影することが行われている。また、プロジェクタの使用に際して、前記ドキュメント以外にも手持ちの書画原稿（新聞、雑誌の記事、プレゼン用紙等）や、立体資料を投影する場合には、いわゆる書画カメラによってそれらの資料を撮影し、その画像データをＰＣに入力したり、或いはプロジェクタに直接入力することが行われる。
【０００３】
係る書画カメラは、例えば特許文献１に記載されているように、書面資料等が置かれる原稿台を備えたカメラスタンドにカメラ部が一体的に設けられ、そのカメラ部に、撮影レンズやＣＣＤやＭＯＳ型の撮像素子、及び撮像信号の処理等を行うための各種電子回路が組み込まれたものが一般的である。
【特許文献１】特開平１１−２０５６４９号公報
【発明の開示】
【発明が解決しようとする課題】
【０００４】
しかしながら、従来の書画カメラにおいては、原稿台に置かれた書画原稿等を撮影するカメラとしては適していたが、例えばそれを持ち歩いて、プレゼンテーション用の画像を撮影するものとしては不向きであった。そのため使用範囲が主として書画原稿等の撮影に限られていた。
【０００５】
本発明は、かかる従来の課題に鑑みてなされたものであり、使用範囲が広く、しかも使い勝手に優れた書画カメラ及びデジタルカメラ、並びに書画カメラシステムを提供することを目的とする。
【課題を解決するための手段】
【０００６】
前記課題を解決するため請求項１の発明にあっては、投影装置に投影させる画像を撮像手段により撮像する書画カメラにおいて、前記撮像手段、及びこの撮像手段により撮像された画像を記録する画像記録手段を備えたデジタルカメラと、このデジタルカメラが着脱自在に装着され、かつ装着されたデジタルカメラと電気的な接続状態を確保されるとともに、前記デジタルカメラを電気的に操作する操作手段を備えたカメラスタンドとを含むものとした。
【０００７】
かかる構成においては、カメラスタンドからデジタルカメラを取り外すことにより、書画原稿以外を被写体とした撮影が容易となる。しかも、デジタルカメラの操作を、それに触れることなく行うことができる。
【０００８】
また、請求項２の発明にあっては、前記操作手段を用いた前記デジタルカメラの操作は、動作モードの切り替え操作であるものとした。
【０００９】
かかる構成においては、デジタルカメラに触れることなく、その動作モードを切り替えることができる。
【００１０】
また、請求項３の発明にあっては、前記操作手段を用いた前記デジタルカメラの操作は、前記投影装置に投影させる画像の表示内容を変化させる操作であるものとした。
【００１１】
かかる構成においては、デジタルカメラに触れることなく、投影装置に投影させる画像の表示内容を変化させることができる。
【００１２】
また、請求項４の発明にあっては、前記操作手段を用いた前記デジタルカメラの操作は、静止画撮影操作であるものとした。
【００１３】
かかる構成においては、デジタルカメラに触れることなく、静止画撮影を行うことができる。
【００１４】
また、請求項５の発明にあっては、投影装置に投影させる画像を撮像手段により撮像する書画カメラにおいて、前記撮像手段、及びこの撮像手段により撮像された画像を記録する画像記録手段を備えたデジタルカメラと、このデジタルカメラが着脱自在に装着され、かつ装着されたデジタルカメラと電気的な接続状態を確保されるカメラスタンドと、このカメラスタンドと電気的に接続されるとともに、前記カメラスタンドを介して前記デジタルカメラを電気的に操作する操作手段を備えた外部操作機器とを含むものとした。
【００１５】
かかる構成においても、カメラスタンドからデジタルカメラを取り外すことにより、書画原稿以外を被写体とした撮影が容易となる。しかも、デジタルカメラの操作を、それに触れることなく行うことができる。
【００１６】
また、請求項６の発明にあっては、前記外部操作機器は、前記デジタルカメラにより撮像された画像が前記カメラスタンドを介して入力される画像入力手段と、この画像入力手段に入力された画像に基づく表示用の画像を前記投影装置に出力する画像出力手段とを備えたものとした。
【００１７】
また、請求項７の発明にあっては、カメラスタンドに着脱自在なデジタルカメラであって、撮像手段と、この撮像手段により撮像された画像に対して複数の画像処理を所定の順番で行う画像処理手段と、この画像処理手段による前記複数の画像処理を経て生成された画像を記録する画像記録手段と、装着されたカメラスタンドとの間における電気的な接続状態を確保する接続部と、この接続部を介して前記カメラスタンドから受信するとともに使用者の操作内容を示す操作信号に基づき、デジタルカメラの動作を制御する制御手段とを含むものとした。
【００１８】
かかる構成においては、カメラスタンドから送られるとともに使用者の操作内容を示す操作信号に基づき動作することができる。
【発明の効果】
【００１９】
本発明の書画カメラ及び書画カメラシステムにおいては、書画原稿以外を被写体とした撮影が容易であり、しかも、デジタルカメラの操作を、それに触れることなく行うことができるようにした。よって、使用範囲が広く、しかも使い勝手に優れた書画カメラ及び書画カメラシステムを提供することができる。
【００２０】
また、本発明のデジタルカメラにおいては、カメラスタンドから送られるとともに使用者の操作内容を示す操作信号に基づき動作することができるようにした。よって、それょ用いることにより、上記書画カメラ及び書画カメラシステムの実現が可能となる。
【発明を実施するための最良の形態】
【００２１】
以下、本発明の一実施の形態を図にしたがって説明する。図１は、本発明に係る書画カメラシステムを含む撮像投影システムの構成図である。
【００２２】
この撮像投影システムは、書画原稿Ａ等を撮影する書画カメラ１と、ＰＣ（パーソナルコンピュータ）２、プロジェクタ（投影装置）３とから構成されている。書画カメラ１とＰＣ２は第１のＵＳＢケーブル４により接続されており、ＰＣ２とプロジェクタ３とは第２のＵＳＢケーブル５、及びＲＧＢケーブル６により接続されている。なお、プロジェクタ３には、離れた場所からの操作を可能とする赤外線リモートコントロールユニット（以下、赤外リモコンという。）７が付属している。以下に、上記の書画カメラ１、ＰＣ２、プロジェクタ３の各々の詳細を説明する。
【００２３】
（書画カメラ）
書画カメラ１は、カメラスタンド１１と、それに着脱自在に装着されたデジタルカメラ５１とから構成されている。まず、デジタルカメラ５１について説明する。
・デジタルカメラ
デジタルカメラ５１は、ＡＥ機能やＡＦ機能等を有する一般的な仕様を有するもので有って単体での使用が可能であるとともに、カメラスタンド１１に装着されているときには、通常の撮影待機モード（ＲＥＣスルー・モード）で、撮像により取得した画像データを出力するＰＣカメラとして機能するものである。
【００２４】
図２（ａ）は、カメラスタンド１１に対するデジタルカメラ５１の装着構造を示す斜視図であり、図示したように、デジタルカメラ５１は薄型の本体５２を有している。本体５２の後面には、液晶モニタ５３、光学ファインダ５４、モード選択キー５５、ズーミングキー５６が設けられ、上面には、電源スイッチ５７とシャッタキー５８が設けられている。本体５２の正面には、電源オフ時にカメラ内に引き込み格納され、電源オン時にカメラ前面から突出される沈胴式のズーム機能を有する撮像レンズ５９と、撮影時に補助光を発するストロボが設けられている（図示せず）。また、本体５２の底面には、三脚取り付け用ねじ孔、及びデジタルカメラ５１をパーソナルコンピュータ等の外部機器接続に接続するための外部機器接続コネクタ７６（図３参照）が設けられている。
図３は、デジタルカメラ５１の電気的構成を示すブロック図である。デジタルカメラ５１は、前記書画原稿Ａを撮像する撮像素子であるＣＣＤ６１と、ＤＳＰ／ＣＰＵ６２とを有している。ＣＣＤ６１は、前記撮像レンズ５９等の光学系を介して結像された被写体の光学像を光電変換し、被写体の光学像に応じたアナログの撮像信号を出力する。
【００２５】
ＤＳＰ／ＣＰＵ６２は、ＪＰＥＧ方式による画像データの圧縮・伸張を含むデジタル信号処理を行うとともにデジタルカメラ５１の各部を制御するワンチップマイコンである。ＤＳＰ／ＣＰＵ６２には、ＣＣＤ６１を駆動するＴＧ（Timing Generator）６３が接続され、ＴＧ６３には、ＣＣＤ６１から出力される撮像信号が入力するユニット回路６４が接続されている。ユニット回路６４は、相関二重サンプリングによりＣＣＤ６１の出力信号等のノイズを除去するＣＤＳ回路、ノイズが除去された撮像信号を増幅するゲイン調整用アンプ（ＡＧＣ）、増幅後の撮像信号をデジタル信号に変換するＡ／Ｄ変換器（ＡＤ）から構成されており、ＣＣＤ６１の出力信号はユニット回路６４にてデジタル信号に変換されＤＳＰ／ＣＰＵ６２に送られる。
【００２６】
また、ＤＳＰ／ＣＰＵ６２には、レンズ駆動部６５、ストロボ回路６６、ＵＳＢインターフェース６７、電源制御部６８、キー入力部６９、前記液晶モニタ５３が接続されるとともに、アドレス・データバス７１を介してＤＲＡＭ７２、内蔵フラッシュメモリ７３、カード・インターフェース７４が接続されている。カード・インターフェース７４には、本体５２に設けられている図示しないカードスロットに着脱自在に装着されたメモリ・カード７５が接続されている。
【００２７】
ＤＲＡＭ７２は、ＣＣＤ６１により撮像されデジタル化された被写体の画像データを一時記憶するバッファであるとともに、ＤＳＰ／ＣＰＵ６２のワーキングメモリとして使用される。そして、シャッターキーが押された撮影時には、ＤＲＡＭ７２に一時記憶された画像データが、ＤＳＰ／ＣＰＵ６２により圧縮され、最終的には所定のフォーマットの画像ファイルとして、本発明の画像記録手段であるメモリ・カード７５に記録される。
【００２８】
ストロボ回路６６は、前述したストロボを構成するキセノンランプ等の光源や、その給電回路及び調光回路等から構成される。液晶モニタ５３はカラーＬＣＤとその駆動回路とを含み、撮影待機モードではＣＣＤ６１によって撮像された被写体画像をスルー画像として表示し、また、再生モード（ＰＬＡＹモード）では、メモリ・カード７５から読み出されＤＳＰ／ＣＰＵ６２によって伸張された記録画像を表示する。また、操作補助用として、機能選択時の処理メニュー表示や設定用の図形若しくはアイコン等の表示を行う。
【００２９】
レンズ駆動部６５は、前記撮像レンズ５９を構成するズームレンズ及びフォーカスレンズを含むレンズ群を光軸方向に駆動するためのステッピングモータ、及びそれらをＤＳＰ／ＣＰＵ６２から送られる制御信号に応じて駆動するモータドライバから構成される。
【００３０】
ＵＳＢインターフェース６７には前述した外部機器接続コネクタ７６が接続されている。外部機器接続コネクタ７６は本発明における接続部であって、これを介して他の外部機器と電気的に接続されることにより、外部機器から送られる操作信号の受信、及びメモリ・カード７５に記録されている画像データの外部機器への転送が可能となっている。また、撮影待機モードでは、ＣＣＤ６１により撮像されデジタル化された被写体の画像データを前記外部機器へ逐次出力する。
【００３１】
電源制御部６８には、ニッケル水素等の充電池を含む電源回路７７が接続されており、電源制御部６８は外部機器接続コネクタ７６を介して外部から供給される電力を電源回路７７へ供給する。キー入力部６９は、前述したモード選択キー５５等の複数の操作キー及びスイッチを含み、使用者によるキー操作に応じた操作信号をＤＳＰ／ＣＰＵ６２に出力する。
【００３２】
そして、内蔵フラッシュメモリ７３には、ＤＳＰ／ＣＰＵ６２に上記各部を制御させるための制御プログラム、例えばＡＥ・ＡＦ制御用のプログラムや、データ通信用プログラム、及びそれらの制御に必要な各種データが記憶されている。
【００３３】
・カメラスタンド
【００３４】
以下、前記カメラスタンド１１について説明する。図１に示したように、前記カメラスタンド１１は、主として書画原稿Ａ等が置かれる薄板状の原稿台１２と、原稿台１２に支持されたスタンド本体１３と、その上端部に設けられた支持アーム１４と、支持アーム１４の先端に設けられた取付部１５とから構成され、その取付部１５にデジタルカメラ５１が装着されている。なお、原稿台１２はスタンド本体１３を支持する一般部に、左右の両側部が折り畳み可能であるとともに、上記各部が他の部分と枢支されることにより、非使用時には、カメラスタンド１１全体を薄型のパネル形状に折り畳むことにより、持ち運び等の取り扱いが容易となっている。
【００３５】
また、前記スタンド本体１３の側面には、第１のＵＳＢケーブル４が接続された外部側コネクタ１６（図４参照）が原稿台１２に近接して設けられており、外部側コネクタ１６の上方には、本発明の操作手段である電源キー１７ａ、照明スイッチ１７ｂ、モード切替キー１７ｃ、シャッターキー１７ｄ、ズーミングキー１７ｅが上方に向かって順に配置されている。
【００３６】
また、図２（ａ）に示したように、取付部１５の端面には、支持アーム１４及びスタンド本体１３の内部に配索されたＵＳＢケーブル１８を介して前記外部側コネクタ１６と接続されたカメラ側コネクタ１９と、係合孔２０とが並んで設けられている。また、図２（ａ）のＢ矢視図である図２（ｂ）に示したように、取付部１５の裏面側には、書画原稿Ａを照明するための原稿照明２１が設けられている。なお、原稿照明２１は、ＬＥＤ（発光ダイオード）と、その出射光の拡散板とから構成されている。そして、かかる取付部１５に、デジタルカメラ５１がカメラ固定部材２５を介して装着されている。
【００３７】
カメラ固定部材２５には、前記取付部１５に向かい突出する係合ピン２６と、デジタルカメラ５１の本体５２底部における前述した三脚取り付け用ねじ孔に螺合する固定ねじ２７と、取付部１５の前記カメラ側コネクタ１９に接続される雌雄一対の中継コネクタ２８が設けられている。カメラ固定部材２５は、固定ねじ２７によってデジタルカメラ５１と一体化されることにより、前記中継コネクタ２８のオス側をデジタルカメラ５１の本体５２の底部における前記外部機器接続コネクタ７６（図３参照）と接続されている。
【００３８】
そして、デジタルカメラ５１は、カメラ固定部材２５と一体化された状態で、カメラ固定部材２５の係合ピン２６が、取付部１５の前記係合孔２０に挿入されるとともに、取付部１５の内部において、係合ピン２６を挿入方向に付勢した状態で抜けを阻止するロック機構と係合することにより、取付部１５にガタツキなく強固に支持されている。なお、取付部１５には、上記ロック機構と係合ピン２６との係合状態を解除する解除ボタン２２が設けられている。さらに、かかる状態においては、前記中継コネクタ２８のメス側が取付部１５のカメラ側コネクタ１９に接続されることにより、デジタルカメラ５１が、取付部１５に装着されると同時にカメラスタンド１１との間における電気的な接続状態を確保されている。
【００３９】
図４は、前記カメラスタンド１１の電気回路図である。カメラスタンド１１のスタンド本体１３内には、上述したように装着されたデジタルカメラ５１に充電用の電力を供給するための充電回路３１と、取付部１５に配置されている前記原稿照明（ＬＥＤ）２１へ電力を供給するための照明駆動回路３２と、キー入力回路３３とが設けられている。充電回路３１及び照明駆動回路３２は、カメラスタンド１１の図示しない箇所に設けられているＡＣジャック３４に接続されており、双方の回路３１，３２にはＡＣジャック３４を介して、外部ＡＣ電源に接続されたＡＣアダプタ３５から電源が供給される。また、充電回路３１は前記ＵＳＢケーブル１８及びカメラ側コネクタ１９を介して中継コネクタ２８に接続され、照明駆動回路３２は給電用配線により原稿照明２１に接続されている。
【００４０】
キー入力回路３３は、前述した電源キー１７ａ、照明スイッチ１７ｂ、モード切替キー１７ｃ、シャッターキー１７ｄ、ズーミングキー１７ｅと、それらの操作に応じた所定の操作信号を生成する信号生成回路等から構成されている。キー入力回路３３の信号出力線は、キー入力回路３３に接続され、また、前記外部側コネクタ１６の信号系配線、及び充電回路３１の充電系配線と共に、前記ＵＳＢケーブル１８とカメラ側コネクタ１９、中継コネクタ２８を介してデジタルカメラ５１に接続されている。これにより、照明スイッチ１７ｂの操作によって原稿照明２１がオンオフできるとともに、他の操作キー等が操作されると、それに応じた操作信号をデジタルカメラ５１に送ることにより、デジタルカメラ５１に所定の動作を行わせることが可能となっている。
（ＰＣの構成）
【００４１】
一方、図５は、ＰＣ２とプロジェクタ３の電気的構成の概略を示すブロック図である。まずＰＣ２の構成を説明する。
【００４２】
ＰＣ２は、本発明の外部操作機器として機能する汎用のノート型パソコンであり、ＣＰＵ８１と、ＲＡＭ８２、記憶装置８３、入力装置８４、ビデオアダプタ８５、ＶＲＡＭ８６、表示装置８７を備えている。
【００４３】
ビデオアダプタ８５は、表示用のビデオ信号（ＲＧＢ信号）を生成し、ＬＣＤ及びその駆動回路等からなる表示装置８７に出力し、ＶＲＡＭ８６は、ビデオアダプタ８５が生成した表示用の画像データを随時記憶する。また、ビデオアダプタ８５には、前記ＲＧＢケーブル６が接続されたＲＢＧ出力端子８８が設けられており、ビデオアダプタ８５は、ＣＰＵ８１の命令に応じて表示用の画像データをＲＧＢケーブル６を介してプロジェクタ３へ出力する。つまり本実施の形態ではビデオアダプタ８５とＲＢＧ出力端子８８が本発明の画像出力手段である。
【００４４】
また、ＰＣ２はＵＳＢポートを２ポート有しており、ＣＰＵ８１に接続された図示しないＵＳＢインターフェース回路に第１及び第２のＵＳＢ接続端子８９，９０が設けられている。第１のＵＳＢ接続端子８９には、前記書画カメラ１に接続されている第１のＵＳＢケーブル４が接続され、ここから書画カメラ１から画像データが入力されるとともに、必要に応じて書画カメラ１に対して所定の操作信号が出力可能となっている。つまり本実施の形態では上記ＵＳＢインターフェース回路及び第１のＵＳＢ接続端子８９が本発明の画像入力手段である。また、第２のＵＳＢ接続端子９０には、プロジェクタ３に接続された第２のＵＳＢケーブル５が接続されている。
【００４５】
入力装置８４は、ＰＣ２本体に設けられた複数のキーや、本体に接続されたマウス等であり、記憶装置８３は記憶容量の比較的大きなハードディスク等である。記憶装置８３には、プレゼンテーション用のドキュメントの作成・編集を行うための所定のプレゼンテーション・プログラムや、書画カメラ１との間のデータ通信を実現するための専用プログラム、ビデオアダプタ８５に、表示装置８７に上記ドキュメントや画像等を表させるための表示用の画像データや、プロジェクタ３に出力する画像データを生成させるための画像表示プログラム、及び上記画像データに各種の加工を施すための画像処理プログラム等が格納されている。なお、本実施の形態では、ＣＰＵ８１が上記専用プログラムに従い動作することにより前記入力装置８４を本発明の操作手段として機能させる。
【００４６】
（プロジェクタの構成）
一方、プロジェクタ３は、ＣＰＵ９１、ＲＯＭ９２、ＲＡＭ９３、画像入力部９４、表示部９５、キー入力部９６、赤外信号受信部９７を備えている。画像入力部９４には、前記ＲＧＢケーブル６が接続されたＲＢＧ信号の入力端子９８が接続されており、ＰＣ２から入力した入力画像信号（ＲＧＢ信号）に基づき、画像を投影するための表示信号を生成し表示部９５へ送る。表示部９５は、クリプトンランプ等の光源、及び光源の光を入力表示信号に応じた投影光に変換するための液晶やマイクロミラーアレイ等の画像変換素子、その画像変換素子を画像入力部９４から送られた表示信号に基づき駆動する駆動回路、本体の投影部３ａ（図１参照）に設けられている投影レンズ等の光学系を含み、ＰＣ２から送られた画像データに基づく表示画像をスクリーンＳに投影する。
【００４７】
ＣＰＵ９１は、ＲＯＭ９２に格納されているプログラムに従いＲＡＭ９３を作業用メモリとして動作し、プロジェクタ３全体を制御する。キー入力部９６は、ユーザーがプロジェクタ３の操作を行うために用意された、複数の操作キーにより構成されており、赤外信号受信部９７は、前述した赤外リモコン７から送られた赤外線を受光し、それにコード化されている操作信号をデコードしてＣＰＵ９１へ送る。
【００４８】
また、ＣＰＵ９１には、図示省略したＵＳＢインターフェース回路が接続されており、そこにＰＣ２に接続されている第２のＵＳＢケーブル５が接続されたＵＳＢ端子９９が設けられている。これにより、キー入力部９６の操作キーや赤外リモコン７からＣＰＵ９１に送られた操作信号が、必要に応じてＰＣ２へ送信可能となっている。
【００４９】
（動作説明等）
【００５０】
そして、以上の構成からなるシステムにおいては、ＰＣ２において前記専用プログラムが起動され、かつデジタルカメラ５１に撮影待機モードが設定されているとき、以下のように動作する。
【００５１】
すなわち書画カメラ１は、書画原稿Ａ等を撮影し、撮影した画像のデータをＰＣ２に出力する。ＰＣ２では、前記画像処理プログラムによって、入力した画像データに対して歪み補正処理、回転処理、切り抜き処理等の必要な画像処理を施すとともに、処理後の画像データに基づきプロジェクタ３に適した解像度の画像信号を生成し、ＲＧＢケーブル６を介してプロジェクタ３へ出力する。プロジェクタ３は、入力した画像信号を投射光に変換し、それを投影レンズ等の光学系が収容された投影部３ａからスクリーン（又はホワイトボード等）Ｓに照射する。これにより、書画カメラ１で撮影された書画原稿Ａ等の画像がスクリーンＳに投影される。
【００５２】
一方、上記動作中において書画カメラ１は、デジタルカメラ５１が、カメラスタンド１１に装着された時点で自動的に、外部から送られる操作信号を受け付ける状態となっており、カメラスタンド１１に設けられている前述した電源キー１７ａ、モード切替キー１７ｃ、シャッターキー１７ｄ、ズーミングキー１７ｅが操作されると、デジタルカメラ５１が、カメラスタンド１１から送られた操作信号の内容に応じて動作する。つまり、使用者は、カメラスタンド１１側でデジタルカメラ５１を操作することができる。
【００５３】
すなわち本実施の形態では、電源キー１７ａの操作による電源のオン／オフ、ズーミングキー１７ｅの操作による撮像レンズ５９のズーム比の変更、モード切替キー１７ｃを押し続けたままでのズーミングキー１７ｅの操作による撮影画像のコントラスト調整、シャッターキー１７ｄの操作による静止画撮影、つまり記録用の画像の撮像、及び撮像した画像のメモリ・カード７５への記録、モード切替キー１７ｃの操作による撮影待機モードから再生モードへのモード切替といった操作が可能である。
【００５４】
また、静止画撮影では、モード切替キー１７ｃを押し続けたままでシャッターキー１７ｄを操作することにより、撮影時にはＡＥ機能によるストロボ発光を禁止させることができる。また、再生モードでは、ズーミングキー１７ｅの操作による再生画像の切替操作、及び撮影画像のコントラスト調整が可能である。なお、電源をオフ操作した際には、カメラスタンド１１に前記ＡＣアダプタ３５に接続されて電力供給が行われていれば、デジタルカメラ５１においては自動的に充電が開始される。
【００５５】
さらに、前記専用プログラムの起動中において、ＰＣ２では、使用者の操作に応じて専用プログラムに予め用意されている書画カメラ１の操作画面を表示装置８７に表示させるとともに、係る操作画面にしたがってキーボード操作やマウス操作を行うと、その操作に応じた操作信号が生成され、それが第１のＵＳＢケーブル４、及びカメラスタンド１１を介してデジタルカメラ５１に送信される。それにより、使用者はＰＣ２側においてもデジタルカメラ５１に対する上述した操作を行うことができる。
【００５６】
但し、ＰＣ２によって静止画撮影が指示された場合には、ＰＣ２が、デジタルカメラ５１に対して、撮影された画像のデータの転送要求を自動的に行い、デジタルカメラ５１に記録された画像データを転送させるとともに、転送されてきた画像データを記憶装置２３へ記録する。また、デジタルカメラ５１の操作は、専用プログラムの起動中であれば、プロジェクタが接続されていない状態においても有効である。
【００５７】
なお、ＰＣ２における前記操作画面の表示は必須ではなく、例えば前記専用プログラムを、それが起動された時点で、キーボードの所定のキーに上述した操作を自動的に割り当てるものとし、所定のキーを押すだけで上述した操作を可能としてもよい。
【００５８】
一方、本実施の形態の書画カメラ１においては、前述したようにデジタルカメラ５１がカメラスタンド１１に着脱自在である。そのため、例えばプレゼンテーション用の画像を撮影するといったように、書画原稿Ａ等の撮影に使用する場合には、デジタルカメラ５１をカメラスタンド１１から取り外すことにより、それを一般のデジタルカメラと同様に扱うことができる。したがって、その用途が書画原稿Ａ等の撮影に限定されることなく使用範囲が広い。
【００５９】
しかも、前述したように、カメラスタンド１１に装着されているデジタルカメラ５１は、カメラスタンド１１側から種々の操作が可能である。したがって、書画カメラ１として、良好な使い勝手を確保することができる。これは、書画カメラ１においては、デジタルカメラ５１を支持するカメラスタンド１１は、取扱性を考えるとコンパクトなサイズとすることが望ましく、かつデジタルカメラ５１の装着位置は、書画原稿Ａ等が置かれる原稿台１２の上方に位置させる必要がある。そのためデジタルカメラ５１が不安定な状態にあるため、デジタルカメラ５１を直接操作する場合には、使用者が自ら安定性を確保する必要がある。これに対し、本実施の形態においては、デジタルカメラ５１に直接触れずとも前述した操作を行うことができ、上記のような煩雑さから解放されるためである。
【００６０】
特に、本実施の形態のように、カメラスタンド１１を、非使用時における取り扱い性を確保するため折り畳み可能な構成とする場合には、カメラスタンド１１の剛性、及びその自重が自ずと制限されることにより使用時における安定性の確保にも限界があるため、上記効果が顕著である。さらに、操作ボタン等の種類や配置箇所を工夫することにより、片手による操作も可能となる。なお、デジタルカメラ５１に対する操作の種類は、前述したものに限らず任意に設定することができる。
【００６１】
また、本実施の形態においては、カメラスタンド１１以外にも、カメラスタンド１１が接続されたＰＣ２においてもデジタルカメラ５１の操作が可能であるため、より一層使い勝手がよい。なお、本実施の形態と異なり、例えば書画カメラ１がプロジェクタ３に直接ＵＳＢ接続され画像データを転送する構成においては、プロジェクタ３にＰＣ２と同様の操作機能を設け、プロジェクタ３が有する操作キーや赤外リモコン７の操作によって、デジタルカメラ５１の操作を可能としてもよい。
【図面の簡単な説明】
【００６２】
【図１】本発明に係る撮像投影システムを示すシステム構成図である。
【図２】（ａ）は、カメラスタンドへのデジタルカメラの装着構造を示す斜視図、（ｂ）は、（ａ）のＢ矢視図である。
【図３】カメラスタンドの電気回路図である。
【図４】デジタルカメラの電気的構成を示すブロック図である。
【図５】同システムにおけるプロジェクタとＰＣの電気的構成の概略を示すブロック図である。
【符号の説明】
【００６３】
１    書画カメラ
２    ＰＣ
３    プロジェクタ
４    第１のＵＳＢケーブル
５    第２のＵＳＢケーブル
６    ＲＧＢケーブル
７    赤外線リモートコントロールユニット
１１    カメラスタンド
１２    原稿台
１３    スタンド本体
１５    取付部
１６    外部側コネクタ
１７ａ    電源キー
１７ｂ    照明スイッチ
１７ｃ    モード切替キー
１７ｄ    シャッターキー
１７ｅ    ズーミングキー
１８    ＵＳＢケーブル
１９    カメラ側コネクタ
２１    原稿照明
２８    中継コネクタ
３１    充電回路
３２    照明駆動回路
３３    キー入力回路
５１    デジタルカメラ
５９    撮像レンズ
６１    ＣＣＤ
６２    ＤＳＰ／ＣＰＵ
６５    レンズ駆動部
６６    ストロボ回路
６７    ＵＳＢインターフェース
６８    電源制御部
６９    キー入力部
７５    メモリ・カード
７６    外部機器接続コネクタ
７７    電源回路
８１    ＣＰＵ
８３    記憶装置
８４    入力装置
８８    ＲＢＧ出力端子
８９    第１のＵＳＢ接続端子
９０    第２のＵＳＢ接続端子
９１    ＣＰＵ
９９    ＵＳＢ端子
Ａ    書画原稿
Ｓ    スクリーン
【図１】
2005143091.tif 000003
【図２】
2005143091.tif 000004
【図３】
2005143091.tif 000005
【図４】
2005143091.tif 000006
【図５】
2005143091.tif 000007